(57)【要約】【課題】本発明は、一般建造物の傾斜屋根や棟に簡単容易に敷設して被覆し、降雪時には人手を介することなく積雪おろしができ、降雪季節を過ぎれば、迅速容易に回収して格納保管できる建造物屋根用除雪カバーを提供する。【解決手段】複数個の帯状弗素樹脂フィルムであって、非粘着性、滑雪性及び撥水性の物性を有するもの１０（０）、１０（１）及び１０（２）と、前記各帯状弗素樹脂フィルムのフィルム長さ方向の両端を、それぞれ、フィルム幅長さにわたって挟持できるように圧着したフレーム２０（０）、２０（１）及び２０（２）とからなり、前記各フレームを介して、前記各帯状弗素樹脂フィルムを前記建造物の傾斜屋根及び棟にそれぞれ、張設して、前記建造物の傾斜屋根及び棟を全面被覆して降雪を自然滑雪ができるようにしたもの。【選択図】        図１
2015048608.tif 000002
【特許請求の範囲】
【請求項１】
複数個の帯状弗素樹脂系合成樹脂フィルムの厚みが５０〜２５０μｍで、非粘着性、滑雪性及び撥水性の物性を有するもの（以下、単に帯状弗素樹脂フィルムという。）と、前記各帯状弗素樹脂フィルムのフィルム長さ方向の両端を、それぞれ、フィルム幅長さにわたって挟持できるように、着脱可能に圧着したフレームとからなり、前記各フレームを介して、前記各帯状弗素樹脂フィルムを、建造物の棟及び傾斜屋根にそれぞれ張設して、前記建造物の棟及び傾斜屋根を全面的に被覆して、降雪を自然滑雪できるようにした建造物屋根用除雪カバーであって、前記フレームが、１対の細長板からなり、前記帯状弗素樹脂フィルムのフィルム長さ方向の各端に、フィルム幅長さにわたって、前記１対の細長板により、前記帯状弗素樹脂フィルムを挟持して圧着できるように、前記１対の細長板の一方又は双方が半硬質板からなり、前記１対の細長板により、前記帯状弗素樹脂フィルムを挟持して圧着したことを特徴とした建造物屋根用除雪カバー。
【請求項２】
複数個の帯状弗素樹脂系合成樹脂フィルムの厚みが５０〜２５０μｍで、非粘着性、滑雪性及び撥水性の物性を有するもの（以下、単に帯状弗素樹脂フィルムという。）と、前記各帯状弗素樹脂フィルムのフィルム長さ方向の両端を、それぞれ、フィルム幅長さにわたって挟持できるように、着脱可能に圧着したフレームとからなり、前記各フレームを介して、前記各帯状弗素樹脂フィルムを、建造物の棟及び傾斜屋根にそれぞれ張設して、前記建造物の棟及び傾斜屋根を全面的に被覆して、降雪を自然滑雪できるようにした建造物屋根用除雪カバーであって、前記フレームが、１対の細長板からなり、前記帯状弗素樹脂フィルムのフィルム長さ方向の各端に、フィルム幅長さにわたって、前記１対の細長板により、前記帯状弗素樹脂フィルムを挟持して圧着できるように、前記１対の細長板のうち、一方の細長板の裏面と前記帯状弗素樹脂フィルムの表面との間、又は前記他方の細長板の表面と前記帯状弗素樹脂フィルムの裏面との間に、ゴム製又は合成樹脂製の半硬質又は軟質のパッキング板を挟んで、前記１対の細長板により、前記帯状弗素樹脂フィルムの各端を挟持して圧着したことを特徴とした建造物屋根用除雪カバー。
【請求項３】
複数個の帯状弗素樹脂系合成樹脂フィルムの厚みが５０〜２５０μｍで、非粘着性、滑雪性及び撥水性の物性を有するもの（以下、単に帯状弗素樹脂フィルムという。）と、前記各帯状弗素樹脂フィルムのフィルム長さ方向の両端を、それぞれ、フィルム幅長さにわたって挟持できるように、着脱可能に圧着したフレームとからなり、前記各フレームを介して、前記各帯状弗素樹脂フィルムを、建造物の棟及び傾斜屋根にそれぞれ張設して、前記建造物の棟及び傾斜屋根を全面的に被覆して、降雪を自然滑雪できるようにした建造物屋根用除雪カバーであって、前記フレームが、１対の細長板からなり、前記帯状弗素樹脂フィルムのフィルム長さ方向の各端に、フィルム幅長さにわたって、前記１対の細長板により、前記帯状弗素樹脂フィルムを挟持して圧着できるように、前記一方の細長板に、前記帯状弗素樹脂フィルムの非粘着力より強い粘着力をもつと共に、表面に剥離紙を剥離可能に接着した両面粘着テープの裏粘着面を、前記帯状弗素樹脂フィルムの各端のフィルム幅長さに見合う長さに、貼着してなり、前記両面粘着テープの表粘着面に前記帯状弗素樹脂フィルムの各端を貼着することにより、前記１対の細長板を前記帯状弗素樹脂フィルムに挟持して圧着する作業を容易にすることを特徴とした請求項１又は２記載の建造物屋根用除雪カバー。
【発明の詳細な説明】
【技術分野】
【０００１】
本発明は、非粘着性、滑雪性及び撥水性の物性を有する弗素樹脂系合成樹脂フィルムを使用した建造物の屋根用の除雪カバーに関する。
【背景技術】
【０００２】
本発明は、一般家屋の屋根が積雪して、屋根の積雪おろしが、住民の老齢化に伴い、次第に困難となり、また、空家屋根の積雪対策など社会問題化してきている問題点を解決するために開発された。従来の上記弗素樹脂系合成樹脂フィルム（以下、単に弗素樹脂フィルムという。）を使用した屋根用の除雪カバーには、屋根表面に断熱層を介して面状発熱体を設け、その上に被覆層、前記被覆層の上に弗素樹脂フィルムを設けたものが提案されたことがあったが、高価格につくなどの理由により実用化は困難であった。また、空気を供給する給気口と前記空気を排出する排気口を設けた弗素樹脂フィルム製の筒状袋の中に温暖な空気を流通させる温室用屋根材が提案されたが、筒状袋の両側を固定する長尺のフィルム止め材が必要となる、温暖な空気の供給源が必要となるなど、温室屋根以外の一般家屋の屋根に適用が困難であるなどの欠点があった。
【先行技術文献】
【特許文献】
【０００３】
【特許文献１】特開２００８−２６６９６２号公報
【特許文献２】特開２００４−６１号公報
【特許文献３】特開２００４−８１２０５号公報
【発明の概要】
【発明が解決しようとする課題】
【０００４】
本発明は、一般建造物の棟及び傾斜屋根を簡単容易に被覆して、人手を介することなく、積雪おろしができるようにした、建造物屋根用除雪カバーを提供するものである。
また、本発明は、降雪季節を過ぎれば、迅速容易に回収して、格納保管できるようにした建造物屋根用除雪カバーを提供するものである。
さらに、本発明は、低価格で製造販売できる建造物屋根用除雪カバーを提供するものである。
【課題を解決するための手段】
【０００５】
本発明建造物屋根用除雪カバーの請求項１の発明は、上記課題を達成するため、図示するように、複数個の帯状弗素樹脂系合成樹脂フィルムの厚みが５０〜２５０μｍで、非粘着性、滑雪性及び撥水性の物性を有するもの（以下、単に帯状弗素樹脂フィルムという。）と、前記各帯状弗素樹脂フィルムのフィルム長さ方向の両端を、それぞれ、フィルム幅長さにわたって挟持できるように、着脱可能に圧着したフレームとからなり、前記各フレームを介して、前記各帯状弗素樹脂フィルムを、建造物の棟及び傾斜屋根にそれぞれ張設して、前記建造物の棟及び傾斜屋根を全面的に被覆して、降雪を自然滑雪できるようにした建造物屋根用除雪カバーであって、前記フレームが、１対の細長板からなり、前記帯状弗素樹脂フィルムのフィルム長さ方向の各端に、フィルム幅長さにわたって、前記１対の細長板により、前記帯状弗素樹脂フィルムを挟持して圧着できるように、前記１対の細長板の一方又は双方が半硬質板からなり、前記１対の細長板により、前記帯状弗素樹脂フィルムを挟持して圧着したものである。
また、本発明建造物屋根用除雪カバーの請求項２の発明は、上記課題を達成するため、図示するように、複数個の帯状弗素樹脂系合成樹脂フィルムの厚みが５０〜２５０μｍで、非粘着性、滑雪性及び撥水性の物性を有するもの（以下、単に帯状弗素樹脂フィルムという。）と、前記各帯状弗素樹脂フィルムのフィルム長さ方向の両端を、それぞれ、フィルム幅長さにわたって挟持できるように、着脱可能に圧着したフレームとからなり、前記各フレームを介して、前記各帯状弗素樹脂フィルムを、建造物の棟及び傾斜屋根にそれぞれ張設して、前記建造物の棟及び傾斜屋根を全面的に被覆して、降雪を自然滑雪できるようにした建造物屋根用除雪カバーであって、前記フレームが、１対の細長板からなり、前記帯状弗素樹脂フィルムのフィルム長さ方向の各端に、フィルム幅長さにわたって、前記１対の細長板により、前記帯状弗素樹脂フィルムを挟持して圧着できるように、前記１対の細長板のうち、一方の細長板と前記帯状弗素樹脂フィルムとの間、又は、前記他方の細長板と前記帯状弗素樹脂フィルムとの間に、ゴム製又は合成樹脂製の半硬質又は軟質のパッキング板を挟んで、前記１対の細長板により、前記帯状弗素樹脂フィルムの各端を挟持して圧着したものである。
さらに、本発明建造物屋根用除雪カバーの請求項３の発明は、請求項１又は２の発明において、上記課題を達成するため、図示するように、複数個の帯状弗素樹脂系合成樹脂フィルムの厚みが５０〜２５０μｍで、非粘着性、滑雪性及び撥水性の物性を有するもの（以下、単に帯状弗素樹脂フィルムという。）と、前記各帯状弗素樹脂フィルムのフィルム長さ方向の両端を、それぞれ、フィルム幅長さにわたって挟持できるように、着脱可能に圧着したフレームとからなり、前記各フレームを介して、前記各帯状弗素樹脂フィルムを、建造物の棟及び傾斜屋根にそれぞれ張設して、前記建造物の棟及び傾斜屋根を全面的に被覆して、降雪を自然滑雪できるようにした建造物屋根用除雪カバーであって、前記フレームが、１対の細長板からなり、前記帯状弗素樹脂フィルムのフィルム長さ方向の各端に、フィルム幅長さにわたって、前記１対の細長板により、前記帯状弗素樹脂フィルムを挟持して圧着できるように、前記一方の細長板に、前記帯状弗素樹脂フィルムの非粘着力より強い粘着力をもつと共に、表面に剥離紙を剥離可能に接着した両面粘着テープの裏粘着面を、前記帯状弗素樹脂フィルムの各端のフィルム幅長さに見合う長さに、粘着してなり、前記両面粘着テープの表粘着面に前記帯状弗素樹脂フィルムの各端を粘着することにより、前記１対の細長板を前記帯状弗素樹脂フィルムに挟持して圧着する作業を容易にするものである。
本発明において、帯状弗素樹脂フィルムは、エチレンーテトラフルオロエチレン系共重合体（以下、ＥＴＦＥという。）フィルム、テトラフルオロエチレンーヘキサフルオロプロピレン系共重合体（以下、ＦＥＰという。）フィルムなどの非粘着性、滑雪性及び撥水性の物性の大きい帯状弗素樹脂系合成樹脂フィルムをいう。帯状弗素樹脂フィルムの厚みは、５０μｍ以上２５０μｍの範囲のものが必要である。その理由は、帯状弗素樹脂フィルムが、５０μｍ以下の場合は、薄く柔軟すぎて引き伸ばしに手間どり、また、フレームに挟持して圧着しにくいためで、また、２５０μｍ以上の場合は、折り込みや折り畳みしにくく、被覆や外被に手間どり、また、高価になるためである。
帯状ＥＴＦＥフィルムの一般物性を例示すると、以下のとおりである。
【０００６】
【表１】
2015048608.tif 000003
【０００７】
複数個の帯状弗素樹脂フィルムにより一般建造物の棟及び傾斜屋根に被覆カバーを形成する場合は、フィルム長さ方向の両端を圧着したフレームを介して、それぞれ張設しながら、各帯状弗素樹脂フィルムのフィルム幅方向の両側部分（耳部）を重ねる。また寄せ棟屋根、半切妻屋根など屋根の形状により、複数個の帯状弗素樹脂フィルムの帯部分を交叉して重ねて、前記フレームを介して、それぞれ各帯状弗素樹脂フィルムを張設する場合がある。
帯状弗素樹脂フィルムは、通常の帯状のもののほか、筒状に形成されて折り畳んだ帯状のものや、フィルム幅方向の両側が２つ折りに折られた帯状のものは、引張り強度や引裂強度が大きく、風圧や振動等に対する抵抗力が大きく、また後者はフィルム幅を増減できる。
帯状弗素樹脂フィルムは、１対の細長板を、フィルム長さ方向の両端に、フィルム幅長さにわたって挟持して、着脱可能に圧着しているので、帯状弗素樹脂フィルムの長さ方向の引張り力が、フィルム幅長さにわたって平均的に調節できる。フィルムの長さ方向の引張り力の調節は、帯状弗素樹脂フィルムの厚み、幅、長さ、屋根の構造、風力の影響等を考慮して定められる。
本発明に使用される前記細長板は、金属板、合成樹脂板又は木板等が使用される。前記細長板には、図面で示すように、ボルト及びナット又はこれらに代るネジ及びナット（以下、単にボルトという。）とボルトを挿入するボルトの穴及び対応するフィルム穴を介して、１対の前記細長板にフィルムを挟持して圧着できるようにし、また、ロープ、ワイヤ、くぎ、ねじ等（以下、単にロープという。）の係着のため、ロープの穴を設けて、建造物に着脱可能に係着、又は、建造物附近の地上に杭等を介して着脱可能に係着できるようにする。
なお、１対の前記細長板により帯状弗素樹脂フィルムのフィルム長さ方向の各端部に、フィルム幅長さにわたって挟持して、着脱可能に圧着するために、ゴム製、合成樹脂製の板状パッキングを、前記細長板と帯状弗素樹脂フィルムのフィルム長さ方向の各端部との間に、フィルム幅長さにわたって、挿入することが好ましい。又は、前記１対又は前記１対のうちいずれかの前記細長板が半硬質材でつくられているものを使用することが好ましい。さらに、１対の前記細長板を前記帯状弗素樹脂フィルムのフィルム長さの各端にそれぞれ取りつけるため、各１対の前記細長板の一方の細長板に前記帯状弗素樹脂フィルムのフィルム長さの端をフィルム幅方向にわたって前記両面粘着テープを介して固着したのち、他方の細長板を挟持させることが作業上望ましい。
【発明の効果】
【０００８】
本発明は、前記帯状弗素樹脂フィルムの長さ方向の両端を、前記フレームを形成する前記１対の細長板により、それぞれ、フィルム幅長さにわたって、着脱可能に圧着しているので、前記帯状弗素樹脂フィルムを張設する場合は、鳩目によって前記帯状弗素樹脂フィルムを張設する場合に比べて、極薄厚の弗素樹脂フィルムであっても、引裂きを生ずることなく、フィルムに平均的に大きな張力を与えることができるように調節することができる。また、前記フレームを形成する前記１対の細長板を介して、建造物にくぎ、ねじ等により直接張設して、着脱可能に係着でき、また、建造物又は建造物附近の地上に、ロープ等を介して、張設して、着脱可能に係着できるので、帯状弗素樹脂フィルムの張設が確実容易にでき、建造物の棟及び傾斜屋根を全面被覆した建造物屋根用除雪カバーが、簡単迅速に出来上る。従って、降雪時は、一般建造物の棟及び傾斜屋根上の積雪は、帯状弗素樹脂フィルムの物性から、自然滑雪して地上に落下することになる。地上に落下した屋根上の降雪は、地上で、人力又は除雪機で除雪すればよく、屋根上の積雪おろしの手間や危険が解消する。また、空き家では屋根上の積雪による崩壊が防止される。
また、本発明に使用される帯状弗素樹脂フィルムは、農業用温室被覆資材などに多量に利用されているので、安価に入手しやすい。
さらに、建造物の棟及び傾斜屋根に使用された本発明の屋根用除雪カバーは、季節外には、建造物又は建造物附近の地上から、各フレームの係着を解いて、各帯状弗素樹脂フィルムの両端のフレームを形成する１対の細長板を介して巻回し、容易に取りはずして格納保管ができる。
【図面の簡単な説明】
【０００９】
【図１】本発明の実施例を示す、使用状態の全体説明図である。
【図２】本発明の別の実施例を示す、使用状態の全体説明図である。
【図３】図１及び図２に使用した帯状弗素樹脂フィルムとこれに圧着したフレームとを、原理的に示した一部拡大説明図である。
【図４】帯状弗素樹脂フィルムとこれに圧着したフレームを形成する１対の細長板とを断面図的に示した説明図である。
【図５】帯状弗素樹脂フィルムとこれに圧着したフレームを形成する１対の細長板とを断面図的に示した別の説明図である。
【図６−１】フレームを形成する１対の細長板の一方の細長板に両面粘着テープを貼着したときの断面図的に示した説明図である。
【図６−２】図６−１の一方の細長板に貼着した帯状弗素樹脂フィルムとこれに圧着した他方の細長板とを断面図的に示した説明図である。
【発明を実施するための形態】
【００１０】
本発明建造物屋根用除雪カバーを実施するための形態が、実施例１及び実施例２に示されている。
【実施例１】
【００１１】
本発明の実施例１が、図１、図３、図４、図６−１及び図６−２に示されている。本発明実施例１の建造物屋根用除雪カバーは、複数個の帯状弗素樹脂フィルム１０（０）とこれらのフィルム長さ方向の両端を圧着したフレーム２０（０）と、１個の帯状弗素樹脂フィルム１０（１）と、そのフィルム長さ方向の両端を圧着したフレーム２０（１）と、１対の帯状弗素樹脂フィルム１０（２）と、これらのフィルム長さ方向の両端を圧着したフレーム２０（２）とからなる。
各帯状弗素樹脂フィルム１０（０）、１０（１）及び１０（２）は、それぞれ帯状のＥＴＦＥフィルムで、厚み１００μｍ、幅１．６ｍのものを、屋根長さ及び軒長さなどに対応して切断したフィルム長さにより使用される。
フレーム２０（０）、フレーム２０（１）及びフレーム２０（２）は、それぞれ厚み５ｍｍ、幅１０ｃｍ、長さ１．６ｍの合成樹脂製細長板の１対が使用される。
前記１対の細長板は、図４に示すように、硬質合成樹脂細長板２１（０）、２１（１）、２１（２）と半硬質合成樹脂細長板２２（０）、２２（１）、２２（２）の組合せにより使用される。
前記各細長板には、図３に示すように、ボルト２１１を挿入するボルト穴（図示しない）数ヶ所、１対のロープ３０（０）、ロープ３０（１）又は、ロープ３０（２）を連結するロープ穴（ワイヤ穴、又は、くぎ、ねじ等を挿入する係着孔を含む）２００が２ヶ所穿設される。また、前記１対の細長板により挟持されて圧着される前記帯状弗素樹脂フィルム１０（０）、１０（１）又は１０（２）には、前記各細長板の前記ボルト穴及びロープ穴２００に貫通するフィルム穴１００が穿設される。前記帯状弗素樹脂フィルムを挟持するため１対の前記細長板の一方の細長板の表側のボルト穴には、ボルト２１１及び座金２１２が挿入され他方の細長板の裏側のボルト穴には、座金（図示しない）がボルト２１１に挿入されたのち、ボルト２１１がナット（図示しない）により螺着されて、１対の前記細長板により、前記帯状弗素樹脂フィルムが、フィルム幅長さにわたって強く挟持されて、着脱可能に圧着されることになる。
なお、図６−１及び図６−２に示すように、前記１対の細長板に前記帯状弗素樹脂フィルムを挟持して取りつけるためには、前記１対の細長板のうち一方の細長板２１（０）、２１（１）又は２１（２）に、表面に剥離紙を剥離可能に接着した前記両面粘着テープの裏面の粘着面を前記帯状弗素樹脂フィルムのフィルム幅長さに見合う長さに粘着しておくことが望ましい。その理由は、前記帯状弗素樹脂フィルムを他方の細長板とにより挟着して圧着する場合に容易にボルト穴、ロープ穴の合わせ作業等ができるからである。
本発明実施例の作業手順は、先ず、帯状弗素樹脂フィルム１０（１）を、フィルム長さ方向に、棟５１１の長さ方向に沿って棟５１１上にのせて、フィルム幅方向の両側部分を、棟５１１の両側に沿って曲げて、両側の傾斜屋根５１上に敷設すると共に、棟５１１の長さ方向の両端部分において、それぞれ、帯状弗素樹脂フィルム１０（１）を折り込み、又は、折り畳んで、必要に応じ、特許第５３１１３１８号公報又は特願２０１３−１７６２９０号記載の片面粘着テープ又は前記両面粘着テープ４０を介して粘着して、棟５１１とその長さ方向の両端部に外被したのち、帯状弗素樹脂フィルム１０（１）を、建造物５０の各妻面５２下方に垂下し、帯状弗素樹脂フィルム１０（１）の長さ方向の両端に圧着した各フレーム２０（１）を形成する前記１対の細長板に設けた１対のロープ穴２００に挿入したくぎ又はねじを介して、妻面５２に、帯状弗素樹脂フィルム１０（１）を張設して着脱可能に係着するか、又は、フレーム２０（１）を形成する前記１対の細長板の各ロープ穴２００に連結したロープ３０（１）及び３０（１）を介して帯状弗素樹脂フィルム１０（１）を張設して建造物５０又はその附近の地上の杭５００に着脱可能に係着する。同時に、棟５１１の長さ方向と平行に棟５１１の両側の傾斜屋根５１に敷設された帯状弗素樹脂フィルム１０（１）上に、帯状弗素樹脂フィルム１０（２）をのせて棟５１１と平行に敷設し、そのフィルム長さ方向の両端部を圧着したフレーム２０（２）を形成する前記１対の細長板を介して、前述同様に妻面５２に、帯状弗素樹脂フィルム１０（２）を張設して１対のロープ穴２００に挿入したくぎ又はねじを介して、着脱可能に係着するか、又は、フレーム２０（２）を形成する前記１対の細長板の各ロープ穴２００に連結したロープ３０（２）及びロープ３０（２）を介して、前述同様に帯状弗素樹脂フィルム１０（２）を張設して、建造物５０又はその附近の地上の杭５００に着脱可能に係着し、帯状弗素樹脂フィルム１０（１）が棟５１１及び傾斜屋根５１の両側から浮き上るのを防止する。
次に、帯状弗素樹脂フィルム１０（２）の傾斜屋根５１上の敷設と平行に、複数個の帯状弗素樹脂フィルム１０（０）を敷設するため、帯状弗素樹脂フィルム１０（２）のフィルム幅方向の下側の耳部裏面に、複数個の帯状弗素樹脂フィルム１０（０）のうち、第１番目の帯状弗素樹脂フィルム１０（０）のフィルム幅方向の上側の耳部表面を敷設できるように重ね、第１番目の帯状弗素樹脂フィルム１０（０）のフィルム幅方向の下側の耳部裏面に、第２番目の帯状弗素樹脂フィルム１０（０）のフィルム幅方向の上側の耳部表面を敷設できるように重ね、以下同様の手順を繰り返して最後の帯状弗素樹脂フィルム１０（０）のフィルム幅方向の下側の耳部裏面を屋根軒先５１２の雨樋（図示しない）を覆うように敷設して、各帯状弗素樹脂フィルム１０（０）の長さ方向の両端を圧着した各フレーム２０（０）を形成する前記１対の細長板をそれぞれ建造物５０の各妻面５２側に垂下し、各フレーム２０（０）を形成する１対の細長板を介して、前述同様に各妻面５２に、帯状弗素樹脂フィルム１０（０）を張設して着脱可能に係着、又は、各フレーム２０（０）を形成する前記１対の細長板の各ロープ穴２００に連結したロープ３０（０）及びロープ３０（０）を介して、前述同様に各帯状弗素樹脂フィルム１０（０）を張設して建造物５０又はその附近の地上の杭５００に着脱可能に係着する。なお、必要に応じ、前記片面粘着テープ又は前記両面粘着テープにより前記帯状弗素樹脂フィルム同士、又は、前記帯状弗素樹脂フィルムと前記棟表面又は前記傾斜屋根表面に着脱可能に粘着処理する。
以上の作業によって建造物５０の棟５１１及び傾斜屋根５１に順次複数の帯状弗素樹脂フィルムが張設されて全面被覆されて本発明の除雪カバーが出来上がり、建造物５０の棟５１１及び傾斜屋根５１の降雪は、本発明の除雪カバーにより棟５１１及び傾斜屋根５１に積雪せず、棟５１１及び傾斜屋根５１上を自然滑雪して、地上に積雪して、除雪を容易にする。
【実施例２】
【００１２】
本発明の実施例２が図２、図３及び図５に示されている。本発明実施例２の建造物屋根用除雪カバーは、複数個の帯状弗素樹脂フィルム１０（０）と、これらのフィルム長さ方向の両端を圧着したフレーム２０Ｂ（０）を形成する１対の細長板と、１個の帯状弗素樹脂フィルム１０（１）と、そのフィルム長さ方向の両端を圧着したフレーム２０Ｂ（１）を形成する１対の細長板と、１対の帯状弗素樹脂フィルム１０（２）と、これらのフィルム長さ方向の両端を圧着したフレーム２０Ｂ（２）を形成する１対の細長板とからなる。帯状弗素樹脂フィルム１０（０）、１０（１）及び１０（２）は、フィルム長さを除いて実施例１と同じであるので詳細説明は省略する。
フレーム２０Ｂ（０）、２０Ｂ（１）及び２０Ｂ（２）は、図５に示すように、１対の細長板２１（０）、２１（１）又は２１（２）と、前記１対の細長板により挟持される前記帯状弗素樹脂フィルム１０（０）、１０（１）又は１０（２）との間には、それぞれ、ゴム又は合成樹脂製パッキング板２３（０）、２３（１）、２３（２）が挿入され、前記１対の細長板により強く挟持されて前記帯状弗素樹脂フィルムを圧着したものである。
本発明実施例の作業手順は、複数個の帯状弗素樹脂フィルム１０（０）を、建造物５０の両側の傾斜屋根５１に、棟５１１を越えて、両側の軒先５１２の下方まで敷設して橋渡すると共に、各帯状弗素樹脂フィルム１０（０）の耳部同士を重ねて、各帯状弗素樹脂フィルム１０（０）を張設できるように、これらの長さ方向の両端に圧着した各フレーム２０Ｂ（０）を形成する１対の細長板に連結したロープ３０（０）及び３０（０）を介して、地上の杭５００又は建造物５０に、順次着脱可能に係着してゆく。
次いで、帯状弗素樹脂フィルム１０（１）を、フィルム長さ方向に、棟５１１の長さ方向に沿って、棟５１１上にのせて、フィルム幅方向の両端部を、棟５１１の両側に沿って曲げて両側の傾斜屋根５１上に敷設すると共に、棟５１１の両端部で、前記帯状弗素樹脂フィルム１０（１）を折り込み、又は、折り畳んで、必要に応じ、前記片面接着テープ又は前記両面粘着テープ４０を介して粘着して棟５１１及びその両端部に外被して、各妻面５２下方に垂下し、帯状弗素樹脂フィルム１０（１）の長さ方向の両端を圧着した各フレーム２０Ｂ（１）の前記１対の細長板に設けた１対のロープ穴２００に挿入したくぎ又はねじを介して、各妻面５２に、帯状弗素樹脂フィルム１０（１）を張設して、着脱可能に係着、又は、フレーム２０Ｂ（１）の前記１対の細長板の各ロープ穴２００に連結したロープ３０（１）及び３０（１）を介して、帯状弗素樹脂フィルム１０（１）を張設して、建造物５０又はその附近の地上の杭５００に着脱可能に係着する。また、同時に、棟５１１の長さ方向と平行に、棟５１１の両側の傾斜屋根５１に敷設された帯状弗素樹脂フィルム１０（１）の上に、それぞれ帯状弗素樹脂フィルム１０（２）をのせて棟５１１と平行に敷設し、その長さ方向の両端を圧着したフレーム２０Ｂ（２）の前記１対の細長板を介して、前述同様に妻面５２に、くぎ又はねじを介して帯状弗素樹脂フィルム１０（２）を張設して、着脱可能に係着、又は、前述同様に、ロープ３０（２）及び３０（２）を介して、各帯状弗素樹脂フィルム１０（２）を張設して、建造物５０又はその附近の地上の杭５００に、着脱可能に係着して、帯状弗素樹脂フィルム１０（１）及び１０（０）が棟５１１及び傾斜屋根５１の両側からの浮き上るのを防止する。なお、必要に応じ、前記片面粘着テープ又は前記両面粘着テープにより前記帯状弗素樹脂フィルム同士、又は、前記帯状弗素樹脂フィルムと棟表面又は傾斜屋根表面に着脱可能に粘着処理する。
以上の作業によって建造物５０の棟５１１及び傾斜屋根５１に、順次複数の帯状弗素樹脂フィルムが張設されて全面被覆されて、本発明の除雪カバーが出来上がり、建造物５０の傾斜屋根５１の降雪は、本発明の除雪カバーにより棟５１１及び傾斜屋根５１に積雪せず、棟５１１及び傾斜屋根５１上を、自然滑雪して地上に積雪して、除雪を容易にする。
【産業上の利用可能性】
【００１３】
本発明品は、軽量、製作容易で安価に量産できる。
【符号の説明】
【００１４】
１０（０）、１０（１）、１０（２）          帯状弗素樹脂フィルム
１００                                      フィルム穴
２０（０）、２０（１）、２０（２）          フレーム
２０Ｂ（０）、２０Ｂ（１）、２０Ｂ（２）    フレーム
２１（０）、２１（１）、２１（２）          硬質合成樹脂板
２２（０）、２２（１）、２２（２）          半硬質合成樹脂板
２３（０）、２３（１）、２３（２）          パッキング板
２４（０）、２４（１）、２４（２）          両面粘着テープ
２５（０）、２５（１）、２５（２）          剥離紙
２００                                      ロープ穴
２１１                                      ボルト
２１２                                      座金
３０（０）、３０（１）、３０（２）          ロープ
４０                                        片面粘着テープ又は両面粘着テープ
５０                                        建造物
５１                                        傾斜屋根
５１１                                      棟
５１２                                      軒先
５２                                        建造物妻面
５００                                      地上杭
【図１】
2015048608.tif 000004
【図２】
2015048608.tif 000005
【図３】
2015048608.tif 000006
【図４】
2015048608.tif 000007
【図５】
2015048608.tif 000008
【図６−１】
2015048608.tif 000009
【図６−２】
2015048608.tif 000010